(57)【要約】【課題】ラッチと据え付けアームとを有する電気的シールドを備えた電気コネクタである。【解決手段】印刷回路基板の一部分を収容するのに適したハウジングと；ハウジングに接続された電気的接触子と；ハウジングに接続された電磁気的干渉（ＥＭＩ）シールドとを備えた電気コネクタが提供される。シールドは、ハウジングの収容領域内へ対になる電気コネクタを通過するための透孔を有する。シールドはさらに、透孔内へ延びたスプリング指状部と、シールドの後端部から延びた第１のアームとを有する。アームは、シールドをハウジングに保持し、印刷回路基板をハウジングと相対的に保持するのに適している。【選択図】図２
2010161088.tif 000002
【特許請求の範囲】
【請求項１】
印刷回路基板に隣接して設けられるのに適していて、収容領域を有するハウジングと；
ハウジングに接続され印刷回路基板に据え付け可能な電気接触子と；
ハウジングに接続され、係合電気コネクタをハウジングの収容領域内へ通過するための開口部を有するシールドと；
シールドから延びてシールドをハウジングに保持し、印刷回路基板を係合するのに適した少なくとも１つのアームと；
を備えたことを特徴とする電気コネクタ装置。
【請求項２】
ハウジングは側部リセスを有し、シールドは側部リセスにスプリングラッチを有することを特徴とする請求項１記載のコネクタ装置。
【請求項３】
シールドは、一体的な部材であることを特徴とする請求項１記載のコネクタ装置。
【請求項４】
少なくとも１つのアームは、複数のアームからなることを特徴とする請求項１記載のコネクタ装置。
【請求項５】
アームは弾性的に偏倚可能で、また、アームは印刷回路基板にはんだ付けされるのに適したタブ部分を有することを特徴とする請求項１記載のコネクタ装置。
【請求項６】
ハウジングは複数の脚部を有し、複数の脚部はその間に印刷回路基板を収容するための開口領域を有し、複数の脚部は印刷回路基板を印刷回路基板の反対側で接触し支持するのに適していることを特徴とする請求項１記載のコネクタ装置。
【請求項７】
接触子領域と少なくとも１つの据え付け用ノッチを有する印刷回路基板をさらに備え；電気コネクタは、印刷回路基板の接触子領域に設けられ；シールドの後端部から延びた少なくとも１つのアームは印刷回路基板の対応する据え付け用ノッチ内に延びていることを特徴とする請求項１記載のコネクタ装置。
【請求項８】
印刷回路基板は、印刷回路基板の反対側に配置された２つの据え付け用ノッチを有することを特徴とする請求項７記載のコネクタ装置。
【請求項９】
アームは印刷回路基板にはんだ付けされていることを特徴とする請求項７記載のコネクタ装置。
【請求項１０】
電気コネクタに接続され、印刷回路基板を取り囲むカバーをさらに備えたことを特徴とする請求項７記載のコネクタ装置。
【請求項１１】
シールドは、装置を基板に接続するのに適したラッチをさらに備えたことを特徴とする請求項１０記載のコネクタ装置。
【請求項１２】
対になるコネクタを収容するための開口部を有するハウジングと；
ハウジングに設けられた電気的接触子と；
ハウジングをほぼ取り囲み、対になるコネクタをハウジングの開口部に挿入することを可能にする開口部を有するシールドと；
基板を係合するのに適した少なくとも１つのラッチと；
を備えたことを特徴とする基板に据え付け可能な電気コネクタ。
【請求項１３】
ハウジングは、少なくとも１つのラッチを受けるリセスを有することを特徴とする請求項１２記載のコネクタ。
【請求項１４】
シールドは一体的部材であることを特徴とする請求項１２記載のコネクタ。
【請求項１５】
シールドは、シールドの開口部内を延びた少なくとも１つのスプリング指状部を有することを特徴とする請求項１２記載のコネクタ。
【請求項１６】
シールドは、印刷回路基板に接続するためにシールドから延びたアームを有し、ハウジングは、印刷回路基板の端部を収容するための領域を備えたことを特徴とする請求項１２記載のコネクタ。
【請求項１７】
ハウジングを有する電気コネクタと、ハウジングに接続された電気的シールドとを備え、ハウジングは対になる電気コネクタを挿入軸線に沿って収容するための収容領域を有していて、シールドはそこから延びたアームを有していて；
アームを挿入軸線に沿って係合する印刷回路基板を備え；
電気コネクタに接続され印刷回路基板を取り囲んでいるカバーを備え、シールドのラッチは装置を基板に取着されるのに適していることを特徴とする電子構成部品装置。
【発明の詳細な説明】
【技術分野】
【０００１】
本発明は、電気コネクタに関し、特に、ラッチ（ｌａｔｃｈ）と据え付け用アームとを有するシールド（ｓｈｉｅｌｄ）を持った電気コネクタに関する。
【背景技術】
【０００２】
米国特許第５、８６５、６４６号は、一体的ラッチ構造と接地構造を持ったコネクタシールドを開示している。従来の電気コネクタの問題点は、コネクタとラッチ構造部の周りにおいて電磁気的シールドをしないという不完全なシールドである。従来の電気コネクタは、コネクタの周りの完全なシールドを提供しない。ラッチ構造部は、シールドの部分である必要はないので、シールドを妨害できる。問題点は、印刷回路基板を持った従来のコネクタの装置で遭遇する。接触子のはんだ付けのために、正確な位置に印刷回路基板をコネクタと一体に位置付けし保持することは問題である。
【発明の概要】
【発明が解決しようとする課題】
【０００３】
従来の電気コネクタは、コネクタの周りの完全なシールドを提供しない。正確な位置に印刷回路基板をコネクタと一体に位置付けし保持電気コネクタを得たい。
【課題を解決するための手段】
【０００４】
本発明の１実施例によれば、印刷回路基板の一部分を収容するのに適したハウジングと；ハウジングに接続された電気的接触子と；ハウジングに接続された電磁気的干渉（ＥＭＩ）シールドとを備えた電気コネクタが提供される。シールドは、ハウジングの収容領域内へ対になる（ｍａｔｉｎｇ）電気コネクタを通過するための透孔を有する。シールドはさらに、透孔内へ延びたスプリング指状部と、シールドの後端部から延びた第１のアームとを有する。アームは、シールドをハウジングに保持し、印刷回路基板をハウジングと相対的に保持するのに適している。
【０００５】
本発明の他の態様によれば、電気構成部品装置は、接触子領域と少なくとも１つの据え付け用ノッチ（ｎｏｔｃｈ）を有する印刷回路基板と；印刷回路基板に接続された電気コネクタとを備えている。コネクタは、プラグ収容領域を有するハウジングと；ハウジングに接続され印刷回路基板の接触子領域に電気的に接続された電気的接触子と；ハウジングに接続された電気的シールドとを備えている。シールドは、プラグ収容領域内に延びたスプリング指状部と、ハウジングのシールドを保持するためにシールドの後端部から延びた少なくとも１つのアームとを備えている。アームは、印刷回路基板の据え付け用ノッチ内に突出している。
【０００６】
本発明の他の態様によれば、少なくとも１つの側部リセス（凹部）を有するハウジングと；ハウジングに設けられた電気的接触子と；ハウジングに接続された電気的シールドとを備えた電気コネクタが提供される。シールドは、対になるコネクタを通過するための透孔を持った前部と、スプリングラッチを持った少なくとも１つの側部とを有する。スプリングラッチは、側部リセスに設けられている。構成部品カバーは、側部リセスに挿入可能であり、側部スプリングラッチによって電気コネクタに把持されている。側部スプリングラッチは、側部リセスでシールドを提供する。
【０００７】
本発明の他の態様によれば、電気構成部品装置は、印刷回路基板と；印刷回路基板に接続された電気的接続端子と；電気コネクタに接続され印刷回路基板を取り囲んでいるカバーとを備えている。コネクタは、ハウジングと、ハウジングに接続された電気的シールドとを有している。ハウジングは、対になる電気コネクタを収容する収容領域を有している。シールドは、収容領域内に延びたスプリング指状部と側部ラッチとを有している。シールドの側部ラッチは、カバーを電気コネクタに把持し、シールドを電気的に接続する。  
上述した本発明の態様および他の態様を、添付した図面を参照して以下に述べる。
【図面の簡単な説明】
【０００８】
【図１】本発明の特徴部と協働した電気構成部品装置の斜視図。
【図２】図１に示された装置の電気コネクタの分解斜視図。
【図３】図２に示された電気コネクタの後端部の斜視図。
【図４】図１の装置に使用された印刷回路基板の概略的底面図。
【発明を実施するための形態】
【０００９】
図１を参照すると、本発明を具現化した電気構成部品装置１０の斜視図が示されている。本発明を図面に示された１つの実施例を参照して述べるが、本発明は、他の多くの実施例に実現できることが理解されなければならない。さらに、適切な寸法、形状または、部品あるいは材料のタイプでも使用できる。  
装置１０は、全体的に電気コネクタ１２、カバー１４、および印刷回路基板１６とを有する。コネクタ１２は、ここで参照して全体をこの明細書に取り込む米国特許第５、８６５、６４６号に述べられたものと同様の態様を有することができる。印刷回路基板１６は、コネクタ１２に接続されていて、カバー１４によって実質的に取り囲まれている。基板１６は、適切な電気部品（図示せず）および構成部品（図示せず）をその上に有している。例えば、基板１６は、与えられた仕事を達成するために、１つまたはそれ以上の集積回路、抵抗、コンデンサ等（図示せず）を有することができる。しかしながら、本発明の電気コネクタは、付加的なまたは他の構成部品とともに使用できる。図２と３もまた参照すると、コネクタ１２は、全体的に絶縁性のハウジング１８、導電性のシールド２０および電気的接続端子２２を有している。コネクタ１２は、米国特許第５、８６５、６４６号に同様に開示されたプラグコネクタに類似した対になる電気コネクタを収容するのに適している。
【００１０】
ハウジング１８は、好ましくは一体モールドされたプラスチック部材であるが、複数の部材で構成することもできる。ハウジング１８は、前端部のプラグ収容領域２４、後端部３０、収容領域２４から後端部３０に延びた接触子チャンネル２６、側部リセス２８、およびプラグラッチを受ける頂部開口部２９を有している。後端部３０は、頂部リセス３２、支持脚部３６の２対３４、および横方向の支持延在部３８を有している。脚部３６は、印刷回路基板１６の一部分を収容するために、各対３４で収容領域４０をそれらの間に形成する（図４参照）。この実施例においてコネクタは、接触子２２の単一の列を有している。しかしながら、接触子の異なった配列または配置の他の実施例も提供できる。接触子２２は、好ましくは、公知の技術を用いて接触子チャンネル２６内に挿入することによって、ハウジング１８に固定的に設けられている。接触子２２の前端部は、プラグの接触子と係合するためにプラグ収容領域２４に位置している。接触子２２の後端部は、ハウジング１８の後端部から延びていて、印刷回路基板１６の接触領域４２に取着されている（図４参照）。
【００１１】
図２は、表面実装テール（ｓｕｒｆａｃｅ  ｍｏｕｎｔ  ｔａｉｌ）を示しているが、他の終端部（例えば、プレス嵌合（ｐｒｅｓｓ−ｆｉｔ）またはピンインペースト（ｐｉｎ−ｉｎ−ｐａｓｔｅ））もまたコネクタを基板に設けるために用いることができる。印刷回路基板１６の前端部４４（図４参照）は、ハウジング１８の後端部３０に配置されていて、装置が組み立てられた場合、基板１６は脚部３６間で収容領域４０を通って延びている。前部側方部４６は、延在部３８に支持されている。図４からもわかるように、基板１６は、前部側方部４６の後方で基板の向き合った側部に２つのノッチ４７を有している。脚部３６は、基板の向き合った両側部で基板１６を支持している。しかしながら、コネクタは、異なった形状のハウジングまたは接触子を有することができる。印刷回路基板は、同様に、電気コネクタのいかなる適切なタイプにもできる。コネクタのハウジングは、印刷回路基板の導入部すなわち前端部に隣接して設けられるように構成されている。ハウジングの後ろ側に延在した脚部３６は、基板の両側部にコネクタを支持していて、脚部３６はまた、接触子の後端部テールを保護する。脚部の側部から延びたブロック３８は、コネクタ装置をカバー１４の保護用カバー部材７０、７２の対にロックするように構成されている。ブロック３８は、カバー部材７０、７２の対応する開口部（図示せず）内に嵌合している。カバー１４は、接触子テールと同様、印刷回路基板の構成部品を保護する。
【００１２】
シールド２０は、好ましくは、ステンレススチールのような適切な導電性材料から公知の技術で打ち抜かれ成形されている。シールド２０は、電磁気的干渉（ＥＭＩ）を減少する助けとなる。シールド２０は、前部４８、頂部５０、底部５２、および２つの側部５４を有している。前部４８は穴５６を有している。孔５６は、プラグ収容領域２４内に導き、プラグコネクタの挿入を可能にする。シールドはまた、孔５６からプラグ収容領域２４内に延びたスプリング指状部５８を有している。これらのスプリング指状部５８は、好ましくは、コネクタ１２に挿入された対になる電気コネクタ（図示せず）の外部シールドと電気的接触をする。シールド２０とハウジング１８の頂部リセス２９は、また、米国特許第５、８６５、６４６号に記載されたコネクタと同様のコネクタと係合するためのラッチ係合領域を形成する。
【００１３】
シールド２０の底部５２の後端部は、シールドをハウジング１８に保持する助けとなる上方を向いたタブ６０を有している。シールド２０の２つの側部５４は、一体的な片持梁的なラッチ６２を有している。ラッチ６２は、ハウジング１８の側部リセス２８に配置されている。ラッチ６２は、装置１０を、例えば、ネットワークサーバー（図示せず）の印刷回路基板（図示せず）に設けられたレールのフレーム（図示せず）に保持するのに役立つ。リセス２８は、ラッチ６２がレールフレームに挿入されている間その中で屈曲することができるが、ラッチ６２がリセス２８の床に底をつけることによって過応力を阻止する寸法である。ラッチ６２はシールド２０の一部分であるので、ラッチ６２は、ＥＭＩ達成の改良を助けるシールド２０とレールフレーム間の付加的な接触点を提供する。レールフレームから装置１０を取り外すには、ラッチ６２をリセス５８内にそらすタブ６２ａを押圧し、レールフレームとの係合をはずすことによって達成できる。
【００１４】
シールド２０はさらに２つのアーム６４を有している。アーム６４は、頂部５０の後端部から延びている。アーム６４は、ハウジング１８の頂部リセス３２内に延びていて、シールド２０をハウジング１８に保持するのに役立つ。アーム６４の先端部６６は、下方の印刷回路基板１６を収容する領域へ延びている。コネクタ１２を係合する基板１６とともに、先端部６６は、基板とコネクタとの機械的接続の維持を助けるために、基板のノッチ４７に配置できる。それに代わる実施例として、先端部６６は、基板１６にはんだ付けでき接地に接続できる。基板１６が最初収容領域４０内に挿入された場合、アーム６４は、前部側方部４６がアーム６４によって通過することが可能なように、弾性的にそれる。アーム６４は、ついで戻ることができ、ノッチ４７に嵌合し、はんだ付けのために接触子２２の後端部に関し接触領域４２を正確に配置する。基板の内端部４５はアーム６４の内端部６５と協働する。それに代わる実施例において、アーム６４は２つより多いか少なく設けられ、アーム６４はシールドの適切な側部から延在できる。シールド２０の側部５４は、ハウジング１８の後端部上を巻いて取り囲むことができる。ラッチ６２は、側部リセス２８においてハウジング１８の側部を実質的に覆う。このように、シールド２０は、前孔５６とハウジングの後端部を除いて、ハウジング１８全体をほぼ取り囲む。金属シールドは、コネクタハウジングの周りを完全に覆い、コネクタ装置用にＥＭＩシールドを提供するように構成されている。このように、この構成は、コネクタ装置の全長に沿った面と面との適切な接触を提供する。
【００１５】
カバー１４は、２つの部材７０、７２を一般に有していて、２つのカバー部材の間に設けられた印刷回路基板１６とともに、互いに固定的に接続されている。好ましくは、カバー部材７０、７２は、電気的に導電性の部分を有するか、または全体が導電性の材料から形成されている。カバー１４は、好ましくは、レールフレームに対応する特徴部を係合する反対側の側壁に沿った溝７６を有している。カバー１４はまた、カバー１４内に配置された印刷回路基板１６の電子的構成部品を冷却するための透孔８０を有している。透孔８０は、頂壁７８に設けたものが示されているが、カバー１４のどこに設けてもよい。カバー部材７０、７２は、好ましくは互いにスナップ結合される。カバー１４は、電気コネクタ１２に隣接する前端部を有する。好ましくは、カバー１４の電気的に導電性の部分は、シールド２０の部分がハウジング１８の後端部の周りに隣接するか取り巻いて当接することにより、接地の目的のためにシールドによって接触されている。
【００１６】
本発明はコネクタの周りの完全なシールドを提供する。ラッチ機構は、シールドの一部分であり、コネクタのシールド効果を促進する。シールドは、１対のアームで構成され、このアームはコネクタの後方へ延出している。これらのアームは、印刷回路基板をコネクタ装置に位置付け一体に保持する。延在部は、必要な場合、アームを印刷回路基板の電気的接地に接続するために離隔する。
【００１７】
上述した記述は、本発明の例示に過ぎないことを理解すべきである。種々の交換および変更が、本発明から逸脱しないで当業者にとって装備できる。したがって、本発明は、添付した請求の範囲内に含まれるそのような交換、変更および変化の全てを包含するものである。
【００１８】
本発明はコネクタの周りの完全なシールドを提供できる。ラッチ構造部は、シールドの部分として提供でき、コネクタのシールド効果を促進できる。シールドは、コネクタの後方の位置へ延出していて、印刷回路基板をコネクタに一体的に保持する一対のアームで構成できる。アームの離れた延在部は、また、必要であればモジュールの内部電気接地を可能にする。
【符号の説明】
【００１９】
１０……電気構成部品装置
１２……（電気）コネクタ
１４……カバー
１６……（印刷回路）基板
１８……ハウジング
２０……（導電性）シールド
２２……接触子
２４、４０……収容領域
２６……接触子チャンネル
２８……側部リセス
２９……頂部開口部
３０……後端部
３２……頂部リセス
３６……脚部
３８……延在部
４２……接触領域
４４……前端部
４６……側方部
４７……ノッチ
５６、８０……透孔
５８……スプリング指状部
６０……タブ
６２……ラッチ
６４……アーム
７６……溝
【図１】
2010161088.tif 000003
【図２】
2010161088.tif 000004
【図３】
2010161088.tif 000005
【図４】
2010161088.tif 000006
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
印刷回路基板に隣接して設けられるのに適していて、収容領域および側部リセスを有するハウジングと；
ハウジングに接続され印刷回路基板に据え付け可能な電気接触子と；
ハウジングに接続され、係合電気コネクタをハウジングの収容領域内へ通過するための開口部を有するとともに側部リセスにスプリングクラッチを有するシールドと；
シールドから延びてシールドをハウジングに保持し、印刷回路基板を係合するのに適した少なくとも１つのアームと；
を備えたことを特徴とする電気コネクタ装置。
【請求項２】
シールドは、一体的な部材であることを特徴とする請求項１記載のコネクタ装置。
【請求項３】
少なくとも１つのアームは、複数のアームからなることを特徴とする請求項１記載のコネクタ装置。
【請求項４】
アームは弾性的に偏倚可能で、また、アームは印刷回路基板にはんだ付けされるのに適したタブ部分を有することを特徴とする請求項１記載のコネクタ装置。